(57)【要約】【課題】排紙壁から原稿間の空気を排出しながら、画像読取品質に悪影響を及ぼさずに排紙許容枚数を増加させることのできる自動原稿搬送装置および画像形成装置を提供する。【解決手段】ダクト１２０は、排紙トレイ２９の排紙壁２８０の裏側に配設されている。ダクト１２０の一端側は枝分かれして複数の開口部１２０ａを形成し、排紙壁２８０の開口部に連通している。ダクト１２０の他端側は２つに分かれて開口部１２０ｂを形成し、手前側板２９ａと奥側板２９ｂを貫通している。そして、排紙ローラ２８の駆動で排紙トレイ２９へ原稿が排紙される際、この原稿が下方に押す空気を開口部１２０ａからダクト１２０内へ空気流入させ、ダクト１２０を通して開口部１２０ａから空気流出させるようにしている。【選択図】図４
2008247572.tif 000002
【特許請求の範囲】
【請求項１】
原稿を積載するための原稿載置台と、
前記原稿台に積載された原稿束から１枚ずつ原稿を分離して所定の読取位置に搬送する搬送手段と、
前記読取位置で読み取られた前記原稿の第１面とは異なる第２面の画像を読み取る画像読取手段と、
前記第１面と前記第２面の一方又は両方が読み取られた後の前記原稿を所定の原稿排紙台に排紙する排紙手段と、
前記原稿排紙台に前記原稿を排紙するときに、前記原稿によって下方向に圧された空気を前記画像読取手段と離隔された空気流通路を通して外部に排気する排気手段と、
を備え、
前記原稿排紙台における排紙方向の上流端には、前記画像読取手段と前記原稿排紙台とを隔てる排紙壁が主走査方向に形成され、前記排紙壁に設けられた開口部に前記排気手段の空気流入口部が連通し、前記外部に前記排気手段の空気流出口部が連通したことを特徴とする自動原稿搬送装置。
【請求項２】
前記排紙壁の排紙方向の上流において、前記自動原稿搬送装置の筐体の側板に前記排気手段の空気流出口が開口したことを特徴とする請求項１に記載の自動原稿搬送装置。
【請求項３】
前記排気手段の空気流入口から空気流入した空気を吸引して前記空気流出口へ送風する吸引手段を備えたことを特徴とする請求項１に記載の自動原稿搬送装置。
【請求項４】
前記原稿載置台で主走査方向の手前又は奥を基準として前記原稿が積載される場合、前記排紙壁で前記開口部を主走査方向の手前又は奥に相対的に多数配置したことを特徴とする請求項１から請求項３のいずれか１項に記載の自動原稿搬送装置。
【請求項５】
前記原稿載置台で主走査方向の中央を基準として前記原稿が積載される場合、前記排紙壁で前記開口部を主走査方向の中央を基準として手前と奥に対称的に配置したことを特徴とする請求項１から請求項３のいずれか１項に記載の自動原稿搬送装置。
【請求項６】
前記開口部が前記排紙壁に形成された凹部に設けられたことを特徴とする請求項１から請求項５のいずれか１項に記載の自動原稿搬送装置。
【請求項７】
前記開口部が前記排紙壁に形成された凸部に設けられたことを特徴とする請求項１から請求項５のいずれか１項に記載の自動原稿搬送装置。
【請求項８】
前記開口部が前記排紙壁の上下方向に延びて形成されたことを特徴とする請求項１から請求項５のいずれか１項に記載の自動原稿搬送装置。
【請求項９】
前記開口部が前記排紙壁の下端側から上端側に向かって拡幅するように形成されたことを特徴とする請求項８に記載の自動原稿搬送装置。
【請求項１０】
前記排紙壁の前記原稿排紙台側の壁面が波状に凹凸したことを特徴とする請求項１から請求項９のいずれか１項に記載の自動原稿搬送装置。
【請求項１１】
前記排紙壁と前記原稿排紙台の排紙面とが鋭角をなすことを特徴とする請求項１から請求項１０のいずれか１項に記載の自動原稿搬送装置。
【請求項１２】
前記原稿排紙台に積載された原稿束の上面の変位に応じて、前記開口部に連通した前記空気流入口部を上下方向に移動する空気流入口部移動手段を備えたことを特徴とする請求項１から請求項７、請求項１０、請求項１１のいずれか１項に記載の自動原稿搬送装置。
【請求項１３】
前記原稿排紙台に積載された原稿の枚数に応じて、前記原稿排紙台を上下方向に回動する原稿排紙台回動手段を備え、
前記原稿排紙台に積載された原稿の枚数の増加によって前記原稿排紙台が下降し、前記空気流入口部移動手段が上昇するよう、前記原稿排紙台回動手段と前記空気流入口部移動手段とが連動することを特徴とする請求項１２に記載の自動原稿搬送装置。
【請求項１４】
前記原稿載置台に積載された原稿の枚数に応じて、前記原稿載置台を上下方向に回動する原稿載置台回動手段を備え、
前記原稿載置台に積載された原稿の枚数の減少によって前記原稿載置台および前記空気流入口部移動手段が上昇するよう、前記原稿載置台回動手段と前記空気流入口部移動手段とが連動することを特徴とする請求項１２に記載の自動原稿搬送装置。
【請求項１５】
前記吸引手段が所定のタイミングで駆動するよう制御する吸引制御手段を備えたことを特徴とする請求項１から請求項１４のいずれか１項に記載の自動原稿搬送装置。
【請求項１６】
原稿を所定の読取位置に搬送する原稿搬送手段としての請求項１から請求項１５のいずれか１項に記載の自動原稿搬送装置と、
前記原稿搬送手段によって前記読取位置に搬送された原稿の画像を読み取る原稿読取手段と、
前記原稿読取手段によって読み取られた画像を所定の用紙に形成する画像形成手段と、
を備えたことを特徴とする画像形成装置。
【発明の詳細な説明】
【技術分野】
【０００１】
本発明は、自動原稿搬送装置（以下「ＡＤＦ」ともいう）および画像形成装置に関するものである。
【背景技術】
【０００２】
近年、ＡＤＦにおいては、一度に大量原稿を処理するために原稿の積載許容枚数を増加させる傾向がある。積載枚数の増加は排紙される原稿枚数の増加に繋がるため、それに応じて排紙される原稿の許容枚数も増加させなければならない。しかし、排紙された原稿をためる排紙トレイの上方には原稿を積載するための原稿テーブルが存在しており、さらにＡＤＦの小型化が強く求められているため、排紙トレイの高さ方向に対する制約が非常に厳しくなっている。しかも、従来の排紙トレイは原稿の後端側が排紙壁によって閉じた構成となっているために排紙される際に原稿間に多くの空気が包含され、排紙された原稿の積載高さが高くなってしまい、排紙できる原稿枚数が実際の積載許容枚数よりも少なくなってしまう。
【０００３】
そこで、従来のＡＤＦは、排紙トレイの排紙面、側面、または底面に空気孔（空気流出口、空気流通口）を設け、排紙されたシートの整列性を高め、落下速度を低下させるようにしている（例えば、特許文献１参照）。ここでは、空気流出口近傍に排気ファン等を配設することも示唆している。
【０００４】
また、排紙トレイの側面に凹凸を形成するとともに、排紙トレイの全高にわたる空気孔を有しているものもある（例えば、特許文献２参照）。ここでは、排気ファン等の配設については示唆されていない。
【０００５】
さらに、画像形成装置において発生する熱気を胴内排紙トレイ近傍、定着部近傍および画像形成部近傍の３箇所にダクトを有し、ファンによってそれらを通る空気が合流し、オゾン除去フィルタを通ることで熱とフィルタによりオゾンを分解し、外部へ排気するようにしているものもある（例えば、特許文献３参照）。
【特許文献１】特開２００５−０６７８４３号公報
【特許文献２】特許第２８９６２４５号公報
【特許文献３】特開２００５−３３８６７５号公報
【発明の開示】
【発明が解決しようとする課題】
【０００６】
しかしながら、従来のＡＤＦでは、画像読取品質に悪影響を及ぼすことなく、排紙壁に設けた空気孔から原稿間の空気を排出することについては配慮がなされていないという問題があった。なお、排紙壁の裏に画像読取部がある場合、単に排紙壁に空気孔を空けると、原稿の排紙（落下）により、画像読取部に向けて紙粉等のごみを含んだ空気を排出してしまい、画像読取品質に悪影響を及ぼすことになる。
【０００７】
本発明は、従来の問題を解決するためになされたもので、排紙壁から原稿間の空気を排出しながら、画像読取品質に悪影響を及ぼさずに排紙許容枚数を増加させることのできる自動原稿搬送装置および画像形成装置を提供することを目的とする。
【課題を解決するための手段】
【０００８】
（１）本発明の自動原稿搬送装置は、原稿を積載するための原稿載置台と、前記原稿台に積載された原稿束から１枚ずつ原稿を分離して所定の読取位置に搬送する搬送手段と、前記読取位置で読み取られた前記原稿の第１面とは異なる第２面の画像を読み取る画像読取手段と、前記第１面と前記第２面の一方または両方が読み取られた後の前記原稿を所定の原稿排紙台に排紙する排紙手段と、前記原稿排紙台に前記原稿を排紙するときに、前記原稿によって下方向に圧された空気を前記画像読取手段と離隔された空気流通路を通して外部に排気する排気手段と、を備え、前記原稿排紙台における排紙方向の上流端には、前記画像読取手段と前記原稿排紙台とを隔てる排紙壁が主走査方向に形成され、前記排紙壁に設けられた開口部に前記排気手段の空気流入口部が連通し、前記外部に前記排気手段の空気流出口部が連通した構成を有している。
（２）本発明においては、前記排紙壁の排紙方向の上流において、前記自動原稿搬送装置の筐体の側板に前記排気手段の空気流出口が開口した構成を有している。
（３）本発明においては、前記排気手段の空気流入口から流入した空気を吸引して前記空気流出口へ送風する吸引手段を備えた構成を有している。
（４）本発明においては、前記原稿載置台で主走査方向の手前または奥を基準として前記原稿が積載される場合、前記排紙壁で前記開口部を主走査方向の手前または奥に相対的に多数配置した構成を有している。
（５）本発明においては、前記原稿載置台で主走査方向の中央を基準として前記原稿が積載される場合、前記排紙壁で前記開口部を主走査方向の中央を基準として手前と奥に対称的に配置した構成を有している。
（６）本発明においては、前記開口部が前記排紙壁に形成された凹部に設けられた構成を有している。
（７）本発明においては、前記開口部が前記排紙壁に形成された凸部に設けられた構成を有している。
（８）本発明においては、前記開口部が前記排紙壁の上下方向に延びて形成された構成を有している。
（９）本発明においては、前記開口部が前記排紙壁の下端側から上端側に向かって拡幅するように形成された構成を有している。
（１０）本発明においては、前記排紙壁の前記原稿排紙台側の壁面が波状に凹凸した構成を有している。
（１１）本発明においては、前記排紙壁と前記原稿排紙台の排紙面とが鋭角をなす構成を有している。
（１２）本発明においては、前記原稿排紙台に積載された原稿束の上面の変位に応じて、前記開口部に連通した前記空気流入口部を上下方向に移動する空気流入口部移動手段を備えた構成を有している。
（１３）本発明においては、前記原稿排紙台に積載された原稿の枚数に応じて、前記原稿排紙台を上下方向に回動する原稿排紙台回動手段を備え、前記原稿排紙台に積載された原稿の枚数の増加によって前記原稿排紙台が下降し、前記空気流入口部移動手段が上昇するよう、前記原稿排紙台回動手段と前記空気流入口部移動手段とが連動する構成を有している。
（１４）本発明においては、前記原稿載置台に積載された原稿の枚数に応じて、前記原稿載置台を上下方向に回動する原稿載置台回動手段を備え、前記原稿載置台に積載された原稿の枚数の減少によって前記原稿載置台および前記空気流入口部移動手段が上昇するよう、前記原稿載置台回動手段と前記空気流入口部移動手段とが連動する構成を有している。
（１５）本発明においては、前記吸引手段が所定のタイミングで駆動するよう制御する吸引制御手段を備えた構成を有している。
（１６）本発明の画像形成装置は、原稿を所定の読取位置に搬送する原稿搬送手段としての請求項１から請求項１５のいずれか１項に記載の自動原稿搬送装置と、前記原稿搬送手段によって前記読取位置に搬送された原稿の画像を読み取る原稿読取手段と、前記原稿読取手段によって読み取られた画像を所定の用紙に形成する画像形成手段と、を備えた構成を有している。
【発明の効果】
【０００９】
本発明によれば、排紙壁の開口部から原稿間の空気を排出しながら、画像読取品質に悪影響を及ぼさずに排紙許容枚数を増加させることができるという効果を有する自動原稿搬送装置を提供することができる。
なお、請求項１の構成によれば、排紙された原稿間の空気を排紙壁の開口部（空気孔）から排出し、かつ外部に排気することで、ＡＤＦ内部の画像読取手段にゴミを含んだ空気を排出することなく、排紙された原稿のスタック高さを抑えることができるので、画像読取品質を維持しながら原稿の排出許容枚数を増やすことが可能である。また、排紙壁の裏側の筐体内部に空気流通路（後述のダクトに相当する）を設けているので、ＡＤＦ全体のサイズを変えることなく、外部に空気を排出することが可能である。
【００１０】
また、請求項２の構成によれば、原稿排紙台（後述の排紙トレイに相当する）の手前側板あるいは奥側板の少なくともいずれか一方に、空気を外部へ排出するための空気流出口（後述の排気口に相当する）を設けているので、ＡＤＦ全体のサイズを変えることなく、かつ新たな部品を追加することなく、外部に空気を排出することが可能である。
【００１１】
また、請求項３の構成によれば、排紙壁の開口部から排出された空気を吸引するので、確実に外部へと空気を排気することが可能である。
【００１２】
また、請求項４の構成によれば、排紙壁において原稿がセットされた側に多くの開口部を設けているので、排紙される原稿のサイズによらず、原稿間の空気を排出することが可能である。
【００１３】
また、請求項５の構成によれば、排紙壁において原稿の中心から対称に開口部を設けているので、原稿のサイズによらず原稿間の空気を均等に排出することが可能である。
【００１４】
また、請求項６の構成によれば、排紙壁において開口部の形状が凹形状となっているので、原稿間の空気を排紙壁方向に加え、排紙壁の上下方向にも排出することが可能である。
【００１５】
また、請求項７の構成によれば、排紙壁において開口部の形状が凸形状となっているので、原稿の排紙壁への張り付きによる排紙原稿高さの増加を防止しつつ、積載原稿枚数によらず原稿間の空気を排出することが可能である。
また、請求項８の構成によれば、排紙壁において開口部が上端付近まで連続しているので、積載原稿枚数によらず原稿間の空気を排出することが可能である。
また、請求項９の構成によれば、排紙壁の上端付近まで連続した開口部の上端側が広くなっているので、排紙された原稿束の上方に位置する原稿間の空気の排出を促すことが可能である。
【００１６】
また、請求項１０の構成によれば、排紙壁の形状が波状となっているので、静電気などによる原稿の排紙壁への張り付きを防止しつつ、原稿間の空気を排紙壁方向に加え、排紙壁の上下方向にも排出することが可能である。
【００１７】
また、請求項１１の構成によれば、排紙壁が原稿排紙台の排紙面（底板に相当する）に対して鋭角をなして傾いているので、静電気などによる原稿の排紙壁への張り付きによる排紙原稿高さの増加を防止することができる。
【００１８】
また、請求項１２の構成によれば、排紙壁の開口部で空気流入口部が上下方向に可動となっているので、小さな空気流入口部でも原稿束の下端から上端まで移動して空気を吸引することができ、大きな空気流入口部から吸引する場合に比べて吸引力を大きくすることが可能である。また、原稿束の上面の変位に応じて（積載された原稿枚数に応じて）空気流入口部を上下動させることによって、自動的に原稿束の上端付近に空気流入口部を位置させることができるので、原稿束の上端付近の空気を吸引することができる。
【００１９】
また、請求項１３の構成によれば、原稿排紙台の動きと排紙壁の開口部での空気流入口部の動きを連動させることによって、自動的に原稿束の上端付近に空気流入口部を位置させることができるので、原稿束の上端付近の空気を吸引することができる。
また、請求項１４の構成によれば、原稿載置台（後述の可動原稿テーブルに相当する）の動きと排紙壁の開口部での空気流入口部の動きを連動させることによって、自動的に原稿束の上端付近に空気流入口部を位置させることができるので、原稿束の上端付近の空気を吸引することができる。
【００２０】
また、請求項１５の構成によれば、吸引手段が所定のタイミングで作動することによって、消費電力の低減が可能である。
また、請求項１６の構成によれば、前述したように画像読取品質に悪影響を及ぼさずに排紙許容枚数を増加させた自動原稿搬送装置を搭載しているので、画像品質を維持しながら一度に大量の原稿を処理することができ、装置の小型化に好適な画像形成装置を提供することができる。
【発明を実施するための最良の形態】
【００２１】
以下、本発明の実施の一形態としての自動原稿搬送装置および画像形成装置について、図面を用いて説明する。
［第１の実施の形態］
図１は、本発明の第１の実施の形態としての画像形成装置の要部を示す断面図である。図２は、ＡＤＦ３００の制御部の構成を示すブロック図である。図３は、第２読取部２５の構成を示すブロック図である。
【００２２】
図１において、画像形成装置の本体４００には、ＡＤＦ３００が搭載されている。このＡＤＦ３００は、第１読取部４０を固定して、読取対象の原稿１を所定の速度で搬送しながら、第１読取部４０、第２読取部２５の一方または両方で画像を読み取るシートスルー方式（自動搬送モード）と、読取対象の原稿を固定して、第１読取部４０を移動させながら画像を読み取る原稿固定読取方式（圧板モード）のいずれにも対応可能なものである。
一方、画像形成装置の本体４００は、第１読取部４０、図示していない本体給紙装置、現像装置、定着装置等を備え、図示していないホスト装置と所定のインタフェースを介して接続されており、これらが通信システムを構成している。そして、操作部１０８の操作に基づいて第１読取部４０と第２読取部２５の一方または両方で読み取られた原稿１の画像形成要求が発生するか、あるいは前記ホスト装置で画像形成要求が発生すると、本体給紙ローラを駆動することにより、前記本体給紙装置に装備した転写紙を１枚ずつ搬送方向へ移動させ、レジストローラに到達すると前記転写紙を一時停止させる。この後、本体制御部１１１（図２参照）よりレジストローラ駆動開始要求が出されると、前記レジストローラが駆動し、転写紙を搬送方向へ移動させる。次いで、前記現像装置においては、トナーを感光体に付着させて、感光体上に原稿のトナー像を形成させる。次いで、転写ローラにより、転写紙にトナーを付着させる。こうして、転写紙に付着したトナーを定着させるために、転写紙を前記定着装置に移動させ、定着ローラで加熱・加圧処理を施すことになる。
【００２３】
また、図１において、ＡＤＦ３００は、画像形成装置の本体４００にヒンジなどの連結部材で連結され、コンタクトガラス２１上に開閉自在に搭載されている。ＡＤＦ３００を原稿搬送面に対して開放することで、原稿１をコンタクトガラス２１上に載置するか、あるいはコンタクトガラス２１上から取り除くことができ、原稿搬送面に対して閉じることで、原稿１をコンタクトガラス２１面に押圧できる。画像形成装置の本体４００は、コンタクトガラス２１の下方に配置された第１読取部４０を移動させながら、コンタクトガラス２１上に載置された原稿を読み取る原稿固定読取方式と、第１読取部４０を固定し、原稿テーブル２に載置された原稿をコンタクトガラス２１上に搬送しながら読み取るシートスルー方式とによって原稿を読み取るように構成されている。なお、第１読取部４０は、コンタクトガラス２１上に載置された原稿に向けて、光源により光を照射し、反射光を第１ミラー、第２ミラー、第３ミラーを経由してレンズによって集光し、コンタクトガラス２１上の原稿の像をＣＣＤ上に結像するものである。また、第１読取部４０は、副走査方向の読み取りを行う際に、前記光源および第１ミラーが図１中、右側に「１」だけ進む間に第２ミラー、第３ミラーは「１／２」だけ進むことにより、前記レンズの光路長を一定に保ちながら走査する構成になっている。一方、第２読取部２５は密着イメージセンサを有している。また、画像形成装置の本体４００は、図２に示す操作部１０８の操作により、前述した原稿固定読取方式で原稿を読み取る自動搬送モード（ＡＤＦモード）、前述したシートスルー方式で原稿を読み取る圧板モードなどの動作モードが任意に設定できるように構成されている。
【００２４】
また、自動原稿搬送装置３００は、読取対象の原稿束をセットする原稿セット部Ａ、セットされた原稿束から一枚毎原稿を分離して給送する分離給送部Ｂ、給送された原稿を一次突き当て整合する働きと、整合後の原稿を引き出し搬送する働きのレジスト部Ｃ、搬送される原稿を反転させて、原稿面を読み取り側（下方）に向けて搬送する反転部Ｄ、原稿の表面画像を、コンタクトガラス２１の下方より読み取りを行わせる第１読取搬送部Ｅ、読み取り後の原稿の裏面画像を読み取る第２読取搬送部Ｆ、表裏の読み取りが完了した原稿を装置外に排出する排紙部Ｇ、読み取り完了後の原稿を排紙トレイ２９に積載保持するスタック部Ｈ、を含む機構部と、この機構部の搬送動作のための駆動を行う駆動部１０１〜１０５と、さらに、一連の動作を制御するコントローラ１００とから構成されている（図２参照）。
【００２５】
図３に示すように、コントローラ１００は、ＡＤＦ側に配設された第２読取部２５に対して電源を供給するとともに、本体制御部１１１から送信される制御信号に基づいて、第２読取部２５に対して読取タイミングを示すタイミング信号を送出し、露光のための光源を点灯／消灯させるようになっている。
【００２６】
なお、第２読取部２５は、原稿読み取り時の露光のための光源部（ＬＥＤ）２００、原稿の画像面を読み取ってその情報を電気信号（アナログ信号）に光電変換するＣＣＤセンサチップ２０１、そのアナログ信号を増幅する増幅器２０２、増幅されたアナログ信号をディジタル信号に変換するＡ／Ｄコンバータ２０３、そのディジタル信号から画情報を生成する画処理部２０４、その画情報を展開して蓄積するためのフレームメモリ２０５、フレームメモリ２０５に蓄積された画情報をインタフェース回路２０７を介して本体制御部１１１に送出する出力制御回路２０６、等を備え、ＡＤＦ側からのタイミング信号に従って露光処理を行い、取得した画情報を本体側に送出するように構成されている。
【００２７】
前述した構成において、原稿固定読取方式により原稿画像を読み取る場合に、原稿１または原稿束をコンタクトガラス２１上にセットし、ＡＤＦ３００を閉状態にする。このＡＤＦ３００の底部には、原稿固定読取方式で原稿を読み取るときに原稿をコンタクトガラス２１に圧接するための圧板（図示せず）が設けられている。前記閉状態で、図２に示す操作部１０８のプリントキーが押下されると、第１読取部４０を左右方向に移動させながら原稿を読み取ることになる。なお、原稿固定読取方式では、例えば、１枚のＡ４判原稿の読み取りごとに、コントローラ１００から第１読取部４０に対して後述のゲート信号が送信され、読み取り制御が行われる。
【００２８】
また、シートスルー方式により原稿画像を読み取る場合に、読取対象の原稿束１をセットするときは、可動原稿テーブル３を含む原稿テーブル２上で、原稿面を上向きにした状態でセットする。さらに、原稿束１の幅方向（主走査方向（搬送方向と直交する方向））をサイドガイド（図示せず）によって規制し、幅方向の位置決めを行う。原稿がセットされたこと（セット状態）は、セットフィラー４、セットセンサ５により検知され、図２に示すインタフェース（Ｉ／Ｆ）１０７により本体制御部１１１に送信される。さらに、原稿テーブル面に設けられた原稿長さセンサ３０、３１（反射型センサまたは、原稿１枚でも検知可能なアクチュエータ・タイプのセンサが用いられる）により原稿の搬送方向長さの概略が判定される。ここでは、少なくとも同一原稿サイズの縦か横かを判断可能なセンサ配置が必要となる。
【００２９】
可動原稿テーブル３は、底板上昇モータ１０５により図１に示すａ、ｂ方向に上下動可能になっている。コントローラ１００は、原稿がセットされたことをセットフィラー４、セットセンサ５により検知すると、図２に示す底板上昇モータ１０５を正転させて、原稿束の最上面がピックアップローラ７と接触するように可動テーブル３を上昇させる。ピックアップローラ７は、ピックアップモータ１０１の駆動でカム機構により、図１に示すｃ、ｄ方向に可動テーブル３と共に回動する。また、可動テーブル３は、可動テーブル３上の原稿上面により押されてｃ方向に回動して上昇し、テーブル上昇センサ８により回動の上限を検知される構成となっている。
【００３０】
ここで、図２に示す操作部１０８のプリントキーが押下され、本体制御部１１１からインタフェース１０７を介して、コントローラ１００に原稿給紙信号が送信されると、ピックアップローラ７は、給紙モータ１０２の正転により回転駆動し、原稿テーブル２上の数枚（理想的には１枚）の原稿をピックアップする。このときの回転方向は、最上位の原稿を給紙口に搬送する方向である。給紙ベルト９は、給紙モータ１０２の正転により給紙方向に駆動される。この給紙ベルト９と対向するリバースローラ１０は、給紙モータ１０２の正転により給紙と逆方向に回転駆動され、最上位の原稿とその下の原稿を分離して、最上位の原稿のみを給紙する構成となっている。
【００３１】
さらに詳しく説明すると、リバースローラ１０は給紙ベルト９と所定圧で接し、給紙ベルト９と直接接しているとき、または原稿１枚を介して接している状態では、給紙ベルト９の回転に連れて反時計方向に連れ回りし、原稿が２枚以上給紙ベルト９とリバースローラ１０との間に進入したときには、連れ回り力がトルクリミッタ（例えば、リバースローラ１０のローラ軸に設けられている）のトルクよりも低くなるように設定されている。従って、原稿が２枚以上進入したときには、リバースローラ１０は本来の駆動方向である時計方向に回転し、余分な原稿を押し戻す働きをするために、重送が防止される。
【００３２】
給紙ベルト９とリバースローラ１０との作用により、１枚に分離された原稿は、給紙ベルト９によってさらに搬送され、突当センサ１１によって先端が検知され、さらに進んで停止しているプルアウトローラ１２に突き当たる。その後、前記原稿は、突当センサ１１の検知情報により予め定められた距離だけ搬送され、結果的には、プルアウトローラ１２に所定量撓みを持って押し当てられる。この状態で、給紙モータ１０２を停止させることにより、給紙ベルト９の駆動が停止する。ここで、コントローラ１００は、原稿先端が突当センサ１１により検知されると、ピックアップモータ１０１を回転させ、ピックアップローラ７を原稿上面から退避させる。従って、前記原稿は、給紙ベルト９の搬送力のみで搬送されることになる。このような動作により、原稿先端は、プルアウトローラ１２の上下ローラ対のニップ部に進入し、先端の整合（スキュー補正）が行われる。プルアウトローラ１２は、スキュー補正機能を有すると共に、分離後にスキュー補正された原稿を中間ローラ１４まで搬送するためのローラで、給紙モータ１０２の逆転により駆動される。また、給紙モータ１０２の逆転時には、プルアウトローラ１２と中間ローラ１４とは駆動されるが、ピックアップローラ７と給紙ベルト９とは駆動されていない。
【００３３】
原稿幅センサ１３は、奥行き方向に複数個並べられ、プルアウトローラ１２により搬送された原稿の幅方向（搬送方向に直交する方向）のサイズを検知する。また、原稿の搬送方向の長さは、原稿の先端、後端を突当センサ１１で検知することにより、モータパルスから検出されるように構成されている。プルアウトローラ１２および中間ローラ１４の駆動により、レジスト部Ｃから反転部Ｄに原稿が搬送される際には、レジスト部Ｃにおける搬送速度が、読取搬送部Ｅにおける搬送速度よりも高速になるように設定することで、原稿を読取部の読取位置２０へ送り込む処理時間の短縮が図られている。原稿先端が読取入口センサ１５により検出されると、読取入口ローラ１６の上下ローラ対のニップ部に原稿先端が進入する前に、原稿搬送速度を読取搬送速度と同速にするために減速を開始すると同時に、読取モータ１０３を正転駆動して読取入口ローラ１６、読取出口ローラ２３、ＣＩＳ出口ローラ２７を駆動する。
【００３４】
前記原稿の先端をレジストセンサ１７にて検知すると、コントローラ１００は所定の搬送距離で減速し、前記原稿を読取位置２０の手前で一時停止させると共に、インタフェース１０７を介して本体制御部１１１にレジスト停止信号を送信する。次いで、コントローラ１００は、本体制御部１１１より読取開始信号を受信すると、レジスト停止していた原稿の先端が読取位置に到達するまでに、所定の搬送速度に立ち上がるように増速して搬送させる。コントローラ１００は、読取モータ１０３のパルスカウントにより検出された原稿先端が第１読取部４０上方の読取位置２０に到達するタイミングで、本体制御部１１１に対して第１面の副走査方向有効画像領域を示すゲート信号を送信する。このゲート信号は、第１読取部４０上方の読取位置２０を原稿後端が抜けるまで送信される。片面読み取りの場合には、読取搬送部Ｅを通過した原稿は、第２読取部２５を経て排紙部Ｇへの搬送される。この際、コントローラ１００は、排紙センサ２４が原稿の先端を検知すると、排紙モータ１０４を正転駆動して排紙ローラ２８を反時計方向に回転させる。
【００３５】
また、コントローラ１００は、排紙センサ２４により原稿の先端が検知されてから、排紙モータ１０４のパルスをカウントし、原稿後端が排紙ローラ２８の上下ローラ対のニップ部から抜ける直前に排紙モータ１０４の駆動速度を減速させて、排紙トレイ２９上に排出される原稿が飛び出さないように制御する。両面読み取りの場合には、コントローラ１００は、排紙センサ２４にて原稿先端を検知してから読取モータ１０３のパルスをカウントする。次いで、コントローラ１００は、第２読取部２５に原稿先端が到達するタイミングで第２読取部２５に対し、副走査方向の有効画像領域を示すゲート信号を送信する。このゲート信号は、第２読取部２５を原稿後端が抜けるまで送信される。第２読取搬送ローラ２６は、第２読取部２５における原稿の浮きを抑えると同時に、第２読取部２５におけるシェーディングデータを取得するための基準白部を兼ねるものである。
【００３６】
なお、本実施の形態では、排紙トレイ２９は排紙壁２８０で筐体内部と隔てられており、この排紙壁２８０に設けられたダクト１２０の一端側の開口部１２０ａ（図４参照）から流入した空気がダクト１２０の他端側に連通した排気口１３０から装置外部へ排出されるようになっている。排紙壁２８０で隔てられた筐体内（排紙壁２８０の裏側）には、読取出口ローラ２３に従動する従動ローラ、第２読取ローラ２６、第２読取部２５、ＣＩＳ出口ローラ２７に従動する従動ローラ等が収容されている。
【００３７】
次に、排紙トレイ２９の排紙壁２８０における開口部１２０ａから、排紙トレイ２９に排紙された原稿間の空気を排出する構成を説明する。
【００３８】
図４は、排紙トレイ２９の排紙壁２８０に設けられた排気機構の概略を示す図である。
【００３９】
図４において、ダクト１２０は、排紙トレイ２９の排紙壁２８０の裏側（排紙方向に対して上流の筐体内）に配設されている。ダクト１２０の一端側（排紙方向の下流側）は枝分かれして複数の開口部１２０ａを形成し、排紙壁２８０の開口部（例えば、図５の２８０ａ〜２８０ｈ、２８０ｉ）に連通している。ダクト１２０の他端側は２つに分かれて開口部１２０ｂを形成し、手前側板２９ａと奥側板２９ｂに開口した排気口１３０（図１参照）に連通している。
【００４０】
本実施の形態では、排紙ローラ２８の駆動で排紙トレイ２９へ原稿が排紙される際、この原稿が下方に押す空気を開口部１２０ａ（空気流入口に相当する）からダクト１２０内へ流入させ、ダクト１２０を通して排気口１３０（空気流出口に相当する）から流出させるようになっている。この空気には、原稿１の紙粉、読取搬送中に付着したゴミ等が含まれている。
このような本発明の第１の実施の形態としての画像形成装置によれば、排紙トレイ２９の排紙壁２８０の開口部（ダクト１２０の開口部１２０ａに連通する）と、装置外部に開口した排気口１３０と、を連通するダクト１２０を設けることにより、排紙時に原稿が下方に押す空気を排気して原稿間に含まれる空気量を削減し、整列性を向上させて排紙許容枚数の増加に寄与することができる。また、開口部１２０ａからダクト１２０内へ流入した空気を画像読取部（例えば、第２読取部２５）のある空間へ排出せずに装置外部へ排気することにより、紙粉等を含む空気が読取品質に悪影響を及ぼすのを回避することができる。
【００４１】
なお、前述した実施の形態では、ダクト１２０の排気口１３０を手前側板２９ａと奥側板２９ｂの２箇所とした場合について説明したが、本発明はこのほかに、手前側板２９ａと奥側板２９ｂのいずれか１箇所としても同様の効果が得られるものである。
【００４２】
また、前述した実施の形態では、開口部１２０ａと排気口１３０の高さの関係を規定していないが、例えば、排気口１３０よりも高い位置に開口部１２０ａを配設して、排気に含まれる紙粉等が排気口１３０に自重で移動するように構成してもよい。この構成により、排気に含まれる紙粉等が排紙トレイ２９側に逆流して開口部１２０ａが狭窄するのを防止することができる。
［第２の実施の形態］
図５は、本発明の第２の実施の形態としての排紙トレイ２９における排紙壁２８０の開口部の配置を示す斜視図である。なお、本実施の形態は、前記開口部の配置を除いて第１の実施の形態と概ね同様の構成を有しているため、同一構成には同一符号を付与して説明を省略する。
【００４３】
図５（ａ）は、原稿テーブル２の主走査方向における奥側を基準として原稿がセットされ、このセット基準に応じて排紙トレイ２９の奥側板２９ｂを基準として原稿が排紙される場合を示している。ここでは、排紙壁２８０において開口部２８０ａ〜２８０ｈの順に開口間隔が拡がっている。この構成によれば、例えば、Ａ４サイズに対する開口間隔に対して、Ａ３サイズに対する開口間隔が広くなるので、Ａ３サイズに比べて小さいＡ４サイズの原稿についても万遍なく排気を行うことができる。なお、開口部２８０ａ〜２８０ｈは同一形状（例えば、方形または円形）をなし、ダクト１２０の複数の開口部１２０ａに連通して排紙壁２８０に設けられている。
【００４４】
図５（ｂ）は、原稿テーブル２の主走査方向における中央を基準として原稿がセットされ、このセット基準に応じて排紙トレイ２９の主走査方向における中央を基準として原稿が排紙される場合を示している。ここで、複数の開口部２８０ｉは、排紙壁２８０において等間隔に配置されている。この構成によれば、原稿サイズによらず、主走査方向の奥、手前とも万遍なく排気を行うことができるので、整列性が向上する。なお、複数の開口部２８０ｉは同一形状（例えば、方形または円形）をなし、ダクト１２０の複数の開口部１２０ａに連通して排紙壁２８０に設けられている。
【００４５】
このような本発明の第２の実施の形態としての画像形成装置によれば、原稿のセット基準に応じて排紙壁２８０の開口部を配置する（原稿のセット基準に開口部の位置を合せる）ことにより、原稿サイズによらずダクト１２０を通して原稿間の空気を排気することができる。
［第３の実施の形態］
図６は、本発明の第３の実施の形態としての排紙トレイ２９における排紙壁２８０の開口部の形状を示す斜視図である。なお、本実施の形態は、前記開口部の形状を除いて第１の実施の形態と概ね同様の構成を有しているため、同一構成には同一符号を付与して説明を省略する。
【００４６】
図６（ａ）は、原稿テーブル２の主走査方向における中央を基準として原稿がセットされ、このセット基準に応じて排紙トレイ２９の主走査方向における中央を基準として原稿が排紙される場合を示している。ここで、複数の開口部２８０ｊは、排紙壁２８０の下端から上端にわたって垂直（断面長方形）に開口し、排紙壁２８０において主走査方向で等間隔に配置されている。この構成によれば、排紙トレイ２９に排紙される原稿束の高さによらず、上下万遍なく排気を行うことができるので、排紙許容枚数の増加に寄与することになる。また、原稿サイズによらず、主走査方向の奥、手前とも万遍なく排気を行うことができるので、整列性が向上する。なお、複数の開口部２８０ｊは、ダクト１２０の複数の開口部１２０ａに連通して排紙壁２８０に設けられている。
【００４７】
図６（ｂ）は、原稿テーブル２の主走査方向における中央を基準として原稿がセットされ、このセット基準に応じて排紙トレイ２９の主走査方向における中央を基準として原稿が排紙される場合を示している。ここで、複数の開口部２８０ｋは、排紙壁２８０の下端から上端にわたって垂直に開口下部から開口上部に向けて拡幅し（断面楔形）、排紙壁２８０において主走査方向で等間隔に配置されている。この配置は、排紙トレイ２９に排紙された原稿束の上位の原稿は下位の原稿に比べて下向きの荷重が小さいために、この荷重により排気される原稿間の空気量が少ないことに配慮したものである。この構成によれば、排紙トレイ２９に排紙される原稿束の上位の排気を促すことができるので、排紙許容枚数の増加に寄与することになる。また、原稿サイズによらず、主走査方向の奥、手前とも万遍なく排気を行うことができるので、整列性が向上する。なお、複数の開口部２８０ｋは、ダクト１２０の複数の開口部１２０ａに連通して排紙壁２８０に設けられている。
【００４８】
このような本発明の第３の実施の形態としての画像形成装置によれば、原稿のセット基準に応じて排紙壁２８０の下端から上端にわたって連続する開口部を設けることにより、排紙された原稿束の高さおよび原稿サイズによらずダクト１２０を通して原稿間の空気を排気することができる。
【００４９】
なお、前述した実施の形態では、原稿テーブル２の主走査方向における中央を基準として原稿がセットされ、このセット基準に応じて排紙トレイ２９の主走査方向における中央を基準として原稿が排紙された場合について説明したが、本発明はこのほかに、原稿テーブル２の主走査方向における奥側（あるいは手前側）を基準として原稿がセットされ、このセット基準に応じて排紙トレイ２９の奥側板２９ｂ（あるいは手前側板２９ａ）を基準として原稿が排紙される場合に、奥側板２９ｂから手前側板２９ａに向けて（あるいは手前側板２９ａから奥側板２９ｂに向けて）開口間隔が徐々に拡がるようにしても同様の効果が得られるものである。
【００５０】
また、前述した実施の形態では、複数の開口部２８０ｋが排紙壁２８０の下端から上端にわたって垂直に開口下部から開口上部に向けて楔状に拡幅した場合について説明したが、本発明はこのほかに、同一サイズの方形あるいは円形の開口部（例えば、図５の２８０ａ〜２８０ｈ、２８０ｉ）を排紙壁２８０の上下方向に複数形成し、相対的に下端よりも上端に多数の開口部を配置するように構成してもよい。この構成は、請求項１において、前記開口部が前記排紙壁の上下方向に複数形成され、下端側よりも上端側に相対的に多数形成されたことを特徴とする発明の実施の一形態である。この構成によれば、排紙壁の上方により多くの開口部を有しているので、開口部から異物がＡＤＦ３００内に入り込むことを防止しつつ、排紙された原稿束の上方に位置する原稿間の空気の排出を促すことが可能である。
【００５１】
また、前述した実施の形態では、複数の開口部２８０ｋが排紙壁２８０の下端から上端にわたって垂直に開口下部から開口上部に向けて楔状に拡幅した場合について説明したが、本発明はこのほかに、方形あるいは円形の径の異なる開口部（例えば、図５の２８０ａ〜２８０ｈ、２８０ｉ）を排紙壁２８０の上下方向に複数形成し、相対的に下端よりも上端に径の大きい開口部を配置するように構成してもよい。この構成は、請求項１において、前記開口部が前記排紙壁の上下方向に複数形成され、上端側の開口部径が下端側の開口部径よりも相対的に大きいことを特徴とする発明の実施の一形態である。この構成によれば、排紙壁の上方の開口部を大きくしているので、開口部から異物がＡＤＦ３００内に入り込むことを防止しつつ、排紙された原稿束の上方に位置する原稿間の空気の排出を促すことが可能である。
［第４の実施の形態］
図７は、本発明の第４の実施の形態としての排紙トレイ２９における排紙壁２８０の開口部の形状（水平断面）を示す断面図である。なお、本実施の形態は、前記開口部の形状を除いて第１の実施の形態と概ね同様の構成を有しているため、同一構成には同一符号を付与して説明を省略する。
【００５２】
図７（ａ）は、原稿テーブル２の主走査方向における中央を基準として原稿がセットされ、このセット基準に応じて排紙トレイ２９の主走査方向における中央を基準として原稿が排紙される場合を示している。ここで、複数の開口部２８０ｍは、排紙壁２８０におけるダクト１２０の一端側の壁面から排紙トレイ２９側の壁面へ向けてラッパ状に拡径し（断面台形状）、排紙壁２８０において主走査方向で等間隔に配置されている。この構成によれば、排気の入口側（排紙トレイ２９側）に比べて出口側（ダクト１２０側）の径が小さいので、ダクト１２０内に異物が侵入するのを防止することができる。また、原稿サイズによらず、主走査方向の奥、手前とも万遍なく排気を行うことができるので、整列性が向上する。なお、複数の開口部２８０ｍは、ダクト１２０の複数の開口部１２０ａに連通して排紙壁２８０に設けられている。
【００５３】
図７（ｂ）は、原稿テーブル２の主走査方向における中央を基準として原稿がセットされ、このセット基準に応じて排紙トレイ２９の主走査方向における中央を基準として原稿が排紙される場合を示している。ここで、複数の開口部２８０ｎは、開口周縁がテーパ状に形成され、排紙壁２８０における排紙トレイ２９側の壁面に突出し、排紙壁２８０において主走査方向で等間隔に配置されている。この構成によれば、複数の開口部２８０ｎが凸形状を有することで、排紙壁２８０における排気の入口側（排紙トレイ２９側）に原稿が張り付くのを防止することができる。すなわち、排紙壁２８０にリブを設けるのと同等の効果が得られる。また、原稿サイズによらず、主走査方向の奥、手前とも万遍なく排気を行うことができるので、整列性が向上する。なお、複数の開口部２８０ｎは、ダクト１２０の複数の開口部１２０ａに連通して排紙壁２８０に設けられている。
【００５４】
このような本発明の第４の実施の形態としての画像形成装置によれば、排紙壁２８０の排気の入口側（排紙トレイ２９側）の壁面において、排紙壁２８０の開口部を凹設することによりダクト１２０内への異物の侵入を防いでメンテナンス作業を軽減することができる。また、前記開口部を凸設することにより、排紙された原稿の排紙壁２８０への張り付きを防止して整列性を向上させることができる。
【００５５】
なお、前述した実施の形態では、原稿テーブル２の主走査方向における中央を基準として原稿がセットされ、このセット基準に応じて排紙トレイ２９の主走査方向における中央を基準として原稿が排紙された場合について説明したが、本発明はこのほかに、原稿テーブル２の主走査方向における奥側（あるいは手前側）を基準として原稿がセットされ、このセット基準に応じて排紙トレイ２９の奥側板２９ｂ（あるいは手前側板２９ａ）を基準として原稿が排紙される場合に、奥側板２９ｂから手前側板２９ａに向けて（あるいは手前側板２９ａから奥側板２９ｂに向けて）開口間隔が徐々に拡がるようにしても同様の効果が得られるものである。
【００５６】
また、前述した実施の形態のほかに、凸形状の開口部２８０ｎを排紙トレイ２９の排紙面（底板）から排紙壁２８０の上端付近まで連続的に設ける構成としてもよい。この構成によれば、原稿の排紙壁２８０への張り付きによる排紙原稿高さの増加をより確実に防止しつつ、積載原稿枚数によらず原稿間の空気を排出することが可能である。
［第５の実施の形態］
図８は、本発明の第５の実施の形態としての排紙トレイ２９における排紙壁２８０の形状を示す斜視図および平面図である。なお、本実施の形態は、前記形状を除いて第１の実施の形態と概ね同様の構成を有しているため、同一構成には同一符号を付与して説明を省略する。
【００５７】
図８（ａ）は、原稿テーブル２の主走査方向における中央を基準として原稿がセットされ、このセット基準に応じて排紙トレイ２９の主走査方向における中央を基準として原稿が排紙される場合を示している。ここで、排紙壁２８０と排紙される原稿の画像面（略水平面）とのなす角αは鋭角となっている。この構成によれば、排紙トレイ２９に落下する原稿の後端（排紙方向に対して下流側）が排紙壁２８０に接触し難いために、前記後端が静電気等によって排紙壁２８０に引っ掛るのを防止して、整列性を向上させることになる。なお、複数の開口部２８０ｉは、排紙壁２８０において主走査方向で等間隔に配置されているので、原稿サイズによらず、主走査方向の奥、手前とも万遍なく排気を行うことができ、整列性が向上する。
【００５８】
図８（ｂ）は、図８（ａ）を矢印Ｉ方向からみたものである。ここで、排紙壁２８０における排紙トレイ２９側の壁面には、上端から下端まで連続して延びるＶ字形溝（水平断面Ｖ字形）が主走査方向にわたって列設されている。また、複数の開口部２８０ｉは、前記Ｖ字形溝の底部に主走査方向において等間隔となるように設けられている。この構成によれば、排紙壁２８０における排気の入口側（排紙トレイ２９側）に前記Ｖ字形溝を設けることで、排紙された原稿の後端は前記Ｖ字形溝の凸部２８０ｐのみと接触して原稿が張り付くのを防止することができる。すなわち、排紙壁２８０にリブを設けるのと同等の効果が得られる。また、原稿サイズによらず、主走査方向の奥、手前とも万遍なく排気を行うことができるので、整列性が向上する。
【００５９】
このような本発明の第５の実施の形態としての画像形成装置によれば、排紙壁２８０と排紙される原稿の画像面（略水平面）とのなす角αを鋭角とすること、および排紙壁２８０における排紙トレイ２９側の壁面にＶ字形溝を主走査方向にわたって列設することにより、排紙された原稿の整列性を向上させることができる。
【００６０】
なお、前述した実施の形態では、排紙壁２８０と排紙される原稿の画像面（略水平面）とのなす角αを鋭角とすること、および排紙壁２８０における排紙トレイ２９側の壁面にＶ字形溝を主走査方向にわたって列設することを行った場合について説明したが、本発明はこのほかに、いずれか一方の構成としてもよい。
［第６の実施の形態］
図９は、本発明の第６の実施の形態としてのダクト１２０の概略を示す断面図である。図１０は、図９の排気ファン１１０の排気吸引動作を示すフローチャートである。なお、本実施の形態は、ダクト１２０に設けられた排気ファン１１０を除いて第１の実施の形態と概ね同様の構成を有しているため、同一構成には同一符号を付与して説明を省略する。
【００６１】
図９において、排気ファン１１０は、ダクト１２０の一端側の入口（開口部１２０ａに相当する）と他端側の出口（開口部１２０ｂ（排気口１３０に連通する）に相当する）との間に設けられている。この排気ファン１１０は、排紙された原稿の排紙トレイ２９への落下によって前記入口から流入した空気を吸引して前記出口へ排出するものである。なお、排気ファン１１０は、例えばプロペラファンであって図示しない駆動手段（例えば、駆動モータ）および駆動制御手段（コントローラ１００に相当する）によって所定のタイミングで駆動されるようになっている。
【００６２】
この排気ファン１１０による排気吸引動作は図１０に示すコントローラ１００の制御に基づいて実行される。
【００６３】
図１０に示すように、コントローラ１００は、原稿搬送中に排紙センサ２４が原稿の後端を検知したか否か判断する（ステップＳ１０１）。ここで、排紙センサ２４が原稿の後端を検知したものと判断した場合は、検知後に所定時間が経過したか否か（または、排紙モータ１０４の駆動パルス数が所定の値に達したか否か）判断する（ステップＳ１０２）。ここで、所定時間は、原稿の後端が排紙ローラ２８を通過するのに要する時間（または移動量（駆動パルス数））に相当する。
【００６４】
ステップＳ１０２において、原稿の後端検知後に所定時間が経過したものと判断した場合はステップＳ１０３に処理を移し、排紙センサ２４が原稿の後端を検知していないと判断した場合には本排気吸引ルーチンを終了する。
ステップＳ１０３において、コントローラ１００は、前記駆動手段に排気ファン１１０の駆動を指令して排気吸引動作を実行する。この排気吸引動作により、排紙トレイ２９へ落下した原稿によって下向きに押され、開口部１２０ａからダクト１２０内に流入した空気は排気口１３０に向けて吸引される。
【００６５】
このような本発明の第６の実施の形態としての画像形成装置によれば、ダクト１２０に排気ファン１１０を設けることにより、装置外部の空気の流れによらず、ダクト１２０の開口部１２０ａから流入した空気を確実に排気口１３０から排出することができる。また、原稿の後端が排紙ローラ２８を抜けたときに排気ファン１１０を駆動させることにより、原稿の排紙動作を妨げることなく、効率的に原稿間の空気を吸引して排出することができる。よって、排紙された原稿の整列性を向上させることができる。
【００６６】
なお、前述した実施の形態は、排紙される原稿の後端が排紙ローラ２８を抜けたときに排気ファン１１０を駆動させた場合について説明したが、これは、請求項１５の発明の実施の一形態である。前述したように排気ファン１１０の駆動タイミングを排紙センサ２４の後端検知に基づいて決定することによって、追加のセンサを要せず、消費電力の低減に寄与するものである。
【００６７】
また、前述した実施の形態は、排紙される原稿の後端が排紙ローラ２８を抜けたときに排気ファン１１０を駆動させた場合について説明したが、本発明はこのほかに、画像形成装置の駆動中は常時、排気ファン１１０を駆動させるように構成してもよい。これは、請求項１〜１４のいずれか１項において、前記自動原稿搬送装置の駆動中に前記吸引手段が常時駆動するよう制御する吸引制御手段を備えたことを特徴とする発明の実施の一形態である。この構成によれば、駆動タイミングを制御することなく、コントローラ１００による排気吸引の制御が簡素化される。また、排気吸引動作を常時実行するので、ダクト１２０に空気中のゴミが沈降して溜まるのを抑制することができる。
【００６８】
また、前述した実施の形態では、ダクト１２０の開口部１２０ａと開口部１２０ｂとの間に排気ファン１１０を設けた場合について説明したが、本発明はこのほかに、排気ファン１１０として画像形成装置の本体４００の第１読取部４０や画像形成部に設けられた既存の放熱用ファン、ゴミ除去用ファンなどを兼用しても同様の効果が得られるものである。なお、空気の吸引に既存の放熱用ファン、ゴミ除去用ファンなどを兼用しているので、追加のファンを要せず、コストアップを抑制しながらＡＤＦ３００のサイズを変えずに同様の効果が得られるものである。これは、請求項１５において、前記吸引手段として前記自動原稿搬送装置内の放熱用ファンまたはゴミ除去用ファンを兼用したことを特徴とする発明の実施の一形態である。
【００６９】
また、前述した実施の形態は、前述の第１から第５の実施の形態および後述の第７から第９の実施の形態に適用しても、同様の効果が得られるものである。
［第７の実施の形態］
図１１は、本発明の第７の実施の形態としてのＡＤＦ３００における排紙壁２８０の周辺を示す側面図および断面図である。図１１（ａ）は、排紙壁２８０に対して排紙方向の下流から排紙壁２８０をみたものであり、図１１（ｂ）は、図１１（ａ）の矢印Ｊ方向からみたものである。図１２は、図１１の排気ガイド１４０の移動機構を示す断面図である。図１３は、本発明の第７の実施の形態における底板高さＬ１と排気ガイド高さＬ３（開口部１４０ａの高さ）との関係を示す図である。なお、本実施の形態は、排気ガイド１４０、前記移動機構および開口部２８０ｑを除いて第１の実施の形態と概ね同様の構成を有しているため、同一構成には同一符号を付与して説明を省略する。
【００７０】
図１１（ａ）に示すように、排紙壁２８０の開口部２８０ｑは、排紙壁２８０の下端から上端近傍に延びる長方形のガイド溝を形成している。また、排紙壁２８０の裏側（排紙壁２８０とダクト１２０の一端との間）には、前記ガイド溝に沿って上下方向に移動可能な排気ガイド１４０が設けられている。この排気ガイド１４０の表側（排紙壁２８０側）には、複数の開口部１４０ａが凸設されている。また、図１１（ｂ）に示すように、開口部１４０ａは排気ガイド１４０の裏側（ダクト１２０側）に貫通し、この裏側の開口部にはダクト１２０の一端側の複数の開口部１２０ａが接続されている。すなわち、ダクト１２０は排気ガイド１４０の開口部１４０ａに連通している。
【００７１】
図１２に示すように、排気ガイド１４０の移動機構は、一端が原稿テーブル２の可動原稿テーブル(所謂、底板に相当する)３に接触し、他端がローラ１５１の軸に取付けられて、可動原稿テーブル３の回動（矢印ａ、ｂで示す）に応じて上下方向に移動する可動接片１５４と、この可動接片１５４が軸に取付けられ、可動接片１５４の上下動に応じて前記軸を中心として回動するローラ１５１と、このローラ１５１の回動をベルトを介してプーリ１５２に伝動するプーリ１５３と、可動接片１５５が軸に取付けられ、プーリ１５３により伝動されたローラ１５１の回動（可動原稿テーブル３の回動に相当する）に応じて前記軸を中心として回動するローラ１５２と、一端が排気ガイド１４０に接触し、他端がローラ１５２の軸に取付けられて、ローラ１５２の回動に応じて上下に移動（回動）する可動接片１５５と、を備えた構成を有している。この可動接片１５５の上下動は、可動接片１５４、ローラ１５１、プーリ１５３およびプーリ１５２を介して伝動された可動原稿テーブル３の回動に相当するために、排気ガイド１４０は可動原稿テーブル３と連動することになる。この連動は、原稿載置台回動手段と空気流入口部移動手段との連動に相当する。
【００７２】
図１３において、縦軸の底板高さＬ１は、可動原稿テーブル３にセットされた原稿束に応じて、可動原稿テーブル３の最下位（図１２中、点線で示す）から最上位（図１２中、実線で示す）まで変化する。また、横軸の排気ガイド高さＬ３は、縦軸の底板高さＬ１に応じて最下位（図１２中、点線で示す）から最上位（図１２中、実線で示す）まで変化する。前述のように排気ガイド１４０と可動原稿テーブル３が連動することから、可動原稿テーブル３にセットされた原稿束から取り出されて搬送された原稿が排紙トレイ２９に排紙されて積載されるのに従い、排気ガイド１４０が上昇するため、底板高さＬ１の増大に伴って排気ガイド高さＬ３も増大する。そして、排紙トレイ２９における原稿の高さと排気ガイド高さＬ３とが一定の関係（比例）を保つことになる。
【００７３】
このような本発明の第７の実施の形態としての画像形成装置によれば、排気ガイド１４０と可動原稿テーブル３とが高さＬ１、Ｌ３に関して一定の関係を保ちながら連動して移動することにより、排紙トレイ２９における原稿の高さに応じて排気ガイド１４０を上下に移動させることができる。本実施の形態では、排紙トレイ２９に排紙された原稿束の上位の原稿は下位の原稿に比べて下向きの荷重が小さいために、この荷重により排気される原稿間の空気量が少ないことに配慮し、排気ガイド１４０の上下の移動により、排紙トレイ２９に排紙された原稿の上位の空気を排気することができる。よって、排紙許容枚数の増加に寄与することになる。
【００７４】
なお、前述した実施の形態では、排気ガイド１４０と可動原稿テーブル３とが一定の関係を保ちながら連動することにより、排紙トレイ２９における原稿の高さに応じて排気ガイド１４０を上下に移動させた場合について説明したが、本発明はこのほかに、例えば、給紙される原稿の枚数をコントローラ１００がカウントし、カウント値に基づいて排気ガイド１４０を上下に移動させても同様の効果が得られるものである。これは、請求項１〜７、１０、１１のいずれか１項において、前記原稿載置台に載置された原稿束から給紙された原稿の枚数を計数する計数手段（例えば、コントローラ１００）と、前記空気流入口部を上下方向に移動する空気流入口部移動手段（例えば、排紙壁２８０と排紙ガイド１４０とに取付けられたラックアンドピニオン（移動機構）、ピニオンを駆動するステッピングモータ）と、前記計数手段の計数に基づいて給紙原稿の増加に応じて前記空気流入口部を上昇させるよう、前記空気流入口部移動手段を制御する制御手段（例えば、コントローラ１００）と、を備えたことを特徴とする発明の実施の一形態である。
［第８の実施の形態］
図１４は、本発明の第８の実施の形態としての排気ガイド１４０の移動機構を示す断面図である。図１５は、本発明の第７の実施の形態における排紙トレイ高さＬ２と排気ガイド高さＬ３（開口部１４０ａの高さ）との関係を示す図である。なお、本実施の形態は、排気ガイド１４０の移動機構を除いて第７の実施の形態と概ね同様の構成を有しているため、同一構成には同一符号を付与して説明を省略する。
【００７５】
図１４に示すように、排紙トレイ２９は、軸２９ｃを中心として図中、実線で示す位置（原稿が排紙されていない状態）から図中、点線で示す位置（排紙許容枚数の原稿が排紙された状態）まで回動可能となっている。
【００７６】
一方、排気ガイド１４０の移動機構は、一端が排紙トレイ２９に接触し、他端がローラ１６６の軸に取付けられて、ローラ１６６の回動（軸２９ｃを回動中心とした排紙トレイ２９の回動（上下移動）に相当する）に応じて上下に移動（回動）する可動接片１６５と、この可動接片１６５が軸に取付けられ、可動接片１６５の上下動に応じて前記軸を中心として回動するローラ１６６と、このローラ１６６の回動をベルトを介してプーリ１６３に伝動するプーリ１６２と、可動接片１６４が軸に取付けられ、プーリ１６３により伝動されたローラ１６６の回動に応じて前記軸を中心として回動するローラ１６１と、一端が排気ガイド１４０に接触し、他端がローラ１６１の軸に取付けられて、ローラ１６１の回動に応じて上下に移動（回動）する可動接片１６４と、を備えた構成を有している。
【００７７】
この可動接片１６４の上下動は、可動接片１６５、ローラ１６６、プーリ１６２およびプーリ１６３を介して伝動された排紙トレイ２９の回動に相当するために、排気ガイド１４０は排紙トレイ２９と連動することになる。この連動は、原稿排紙台回動手段と空気流入口部移動手段との連動に相当する。
【００７８】
図１５において、縦軸の排紙トレイ高さＬ２は、排紙トレイ２９に排紙された原稿束に応じて、排紙トレイ２９の最上位（図１４中、実線で示す）から最下位（図１４中、点線で示す）まで変化する。また、横軸の排気ガイド高さＬ３は、縦軸の排紙トレイ高さＬ２に応じて最下位（図１４中、実線で示す）から最上位（図１４中、点線で示す）まで変化する。前述のように排気ガイド１４０と排紙トレイ２９が連動することから、排紙トレイ２９に原稿が排紙されて積載されるのに従い、排気ガイド１４０が上昇するため、排紙トレイ高さＬ２の増大に伴って排気ガイド高さＬ３は減少する。そして、排紙トレイ高さＬ２と排気ガイド高さＬ３とが一定の関係（反比例）を保つことになる。
【００７９】
このような本発明の第８の実施の形態としての画像形成装置によれば、排気ガイド１４０と排紙トレイ２９とが高さＬ２、Ｌ３に関して一定の関係を保ちながら連動して移動することにより、排紙トレイ２９における原稿の高さに応じて排気ガイド１４０を上下に移動させることができる。本実施の形態では、排紙トレイ２９に排紙された原稿束の上位の原稿は下位の原稿に比べて下向きの荷重が小さいために、この荷重により排気される原稿間の空気量が少ないことに配慮し、排気ガイド１４０の上下の移動により、排紙トレイ２９に排紙された原稿の上位の空気を排気することができる。よって、排紙許容枚数の増加に寄与することになる。
【００８０】
なお、前述した本発明の実施の一形態においては、例えば、可動原稿テーブル３が原稿載置台に相当する。例えば、ＡＤＦ３００の分離給送部Ｂ、レジスト部Ｃ、反転部Ｄ、第１読取搬送部Ｅ、第２読取搬送部Ｆが搬送手段に相当する。例えば、第２読取部２５が画像読取手段に相当する。例えば、ＡＤＦ３００の排紙部Ｇ、スタック部Ｈが排紙手段に相当する。例えば、排気ガイド１４０、ダクト１２０が排気手段に相当する。例えば、開口部１２０ａ、１４０ａ、２８０ａが空気流入口部および空気流入口に相当する。例えば、排気口１３０、開口部１２０ｂが空気流出口部および空気流出口に相当する。例えば、排気ファン１１０が吸引手段に相当する。例えば、図７（ａ）のラッパ状に拡径した開口部２８０ｍが排紙壁に形成された凹部に相当する。例えば、図７（ｂ）の開口周縁がテーパ状に形成された開口部２８０ｎが排紙壁に形成された凸部に相当する。例えば、図８（ｂ）の上端から下端にわたるＶ字形溝（凸部２８０ｐを有する）が排紙壁の原稿排紙台側の壁面が波状に凹凸した構成に相当する。例えば、排紙ガイド１４０、ローラ１６１、プーリ１５２、可動接片１５５、１６４およびベルトが空気流入口部移動手段に相当する。例えば、ローラ１６６、プーリ１６２、可動接片１６５およびベルトが原稿排紙台回動手段に相当する。例えば、ローラ１５１、可動接片１５４、プーリ１５３およびベルトが原稿載置台回動手段に相当する。例えば、コントローラ１００が吸引制御手段に相当する。例えば、ＡＤＦ３００が原稿搬送手段に相当する。例えば、第１読取部４０が原稿読取手段に相当する。例えば、画像形成装置の本体４００における現像装置、定着装置が画像形成手段に相当する。
【図面の簡単な説明】
【００８１】
【図１】本発明の第１の実施形態としての画像形成装置の断面図である。
【図２】本発明の第１の実施形態としての自動原稿搬送装置の制御部のブロック図である。
【図３】本発明の第１の実施形態としての第２読取部のブロック図である。
【図４】本発明の第１の実施形態としての排気機構の概略を示す図である。
【図５】本発明の第２の実施形態としての排紙壁の開口部を示す斜視図である。
【図６】本発明の第３の実施形態としての排紙壁の開口部を示す斜視図である。
【図７】本発明の第４の実施形態としての排紙壁の開口部を示す断面図である。
【図８】本発明の第５の実施形態としての排紙壁を示す斜視図および平面図である。
【図９】本発明の第６の実施形態としてのダクトの概略図である。
【図１０】本発明の第６の実施形態としての排気吸引動作を示すフローチャートである。
【図１１】本発明の第７の実施形態としての排紙壁周辺の側面図および断面図である。
【図１２】本発明の第７の実施形態としての排気ガイドの移動機構を示す断面図である。
【図１３】本発明の第７の実施形態としての底板高さと排気ガイド高さとの関係を示す図である。
【図１４】本発明の第８の実施形態としての排気ガイドの移動機構を示す断面図である。
【図１５】本発明の第８の実施形態としての排気トレイ高さと排気ガイド高さとの関係を示す図である。
【符号の説明】
【００８２】
２  原稿テーブル
３  可動原稿テーブル
６  底板ホームポジションセンサ
１９  第１読取搬送ローラ
２２  原稿スケール
２５  第２読取部
２６  第２読取搬送ローラ
２８  排紙ローラ
２９  排紙トレイ
２９ａ  手前側板
２９ｂ  奥側板
２９ｃ  軸
４０  第１読取部
１０６  インタフェース
１１０  排気ファン
１２０  ダクト
１３０  排気口
１４０  排気ガイド
１５１、１６１、１６６  ローラ
１５２、１５３、１６２、１６３  プーリ
１５４、１５５、１６４、１６５  可動接片
２００  光源部
２０１  ＣＣＤセンサチップ
２０２  増幅器（アンプ）
２０３  アナログ・ディジタルコンバータ（Ａ／Ｄ）
２０４  画処理部
２０５  フレームメモリ
２０６  出力制御回路
２０７  インタフェース（Ｉ／Ｆ）回路
２８０  排紙壁
３００  自動原稿搬送装置（ＡＤＦ）
４００  画像形成装置の本体
【図１】
2008247572.tif 000003
【図２】
2008247572.tif 000004
【図３】
2008247572.tif 000005
【図４】
2008247572.tif 000006
【図５】
2008247572.tif 000007
【図６】
2008247572.tif 000008
【図７】
2008247572.tif 000009
【図８】
2008247572.tif 000010
【図９】
2008247572.tif 000011
【図１０】
2008247572.tif 000012
【図１１】
2008247572.tif 000013
【図１２】
2008247572.tif 000014
【図１３】
2008247572.tif 000015
【図１４】
2008247572.tif 000016
【図１５】
2008247572.tif 000017